(57)【要約】【目的】  パス割当ての切替を適当なタイミングで正確に行えるようにしてデータ欠落を抑える。【構成】  パス追従部は、逆拡散部に同一パスを割当てようとする場合に第１、第２アンテナのうちいずれのアンテナで受信した信号に含まれるパスであるかを判定し、同じアンテナで受信した信号に含まれるパスであることを条件として、同一パスの割当てを行なうように制御する。又、パス追従部は、逆拡散部に同一パスを割当てようとする場合に、複数の基地局のうちいずれの基地局から受信した信号に含まれるパスであるかを判定し、同じ基地局から受信した信号に含まれるパスであることを条件として、同一パスの割当てを行なうように制御する。【選択図】        図１０
2005027340.tif 000002
【特許請求の範囲】
【請求項１】
第１アンテナ、第２アンテナを用いたダイバーシチ受信機能を備えるとともに、受信信号に対して逆拡散処理を施す複数の逆拡散部と、該逆拡散処理後の信号を合成するレーク合成部と、該逆拡散部に対して逆拡散タイミングを指示するパスサーチ部とを備えた無線装置において、
前記逆拡散部に同一パスを割当てようとする場合に、前記第１アンテナ、第２アンテナのうちいずれのアンテナで受信した信号に含まれるパスであるかを判定し、同じアンテナで受信した信号に含まれるパスであることを条件として、前記同一パスの割当てを行なうように制御する制御手段、
を備えたことを特徴とする無線装置。
【請求項２】
複数の基地局からの信号を同時に受信するソフトハンドオーバ機能を備えるとともに、受信信号に対して逆拡散処理を施す複数の逆拡散部と、該逆拡散処理後の信号を合成するレーク合成部と、該逆拡散部に対して逆拡散タイミングを指示するパスサーチ部とを備えた無線装置において、
前記逆拡散部に同一パスを割当てようとする場合に、前記複数の基地局のうちいずれの基地局から受信した信号に含まれるパスであるかを判定し、同じ基地局から受信した信号に含まれるパスであることを条件として、前記同一パスの割当てを行なうように制御する制御手段、
を備えたことを特徴とする無線装置。
【発明の詳細な説明】
【技術分野】
【０００１】
本発明は直接拡散によるスペクトラム拡散通信方式（以下ＤＳ）における無線装置に係わり、特に、移動通信において問題となるマルチパスフェージングによる受信電界強度や位相、遅延量の変動に対する受信特性の改善が可能な無線装置に関する。
【背景技術】
【０００２】
ワイヤレスマルチメディア通信を実現する次世代の移動通信システムとして、DS-CDMA(Direct Sequence Code Division Multiple Access:直接拡散符号分割多元接続)技術を用いたデジタルセルラー無線通信システムの開発が進められている。かかるCDMA通信において、複数のチャンネルあるいはユーザの伝送情報は拡散符号により多重され、無線回線などの伝送路を通じて伝送される。
移動通信では、移動体の速度および搬送波の周波数によって決まる最大周波数をもった、ランダムな振幅・位相の変化、フェージングが起こり、これによって固定の無線通信に比較して、安定した受信が非常に難しい。このような周波数選択性フェージングの影響による劣化を軽減するものとして、スペクトラム拡散通信方式が有効である。それは挟帯域の信号を高帯域に拡散して送信するため、ある固有の周波数域で受信電界強度の落ち込みが生じても、その他の帯域から情報を誤り少なく復元できるからである。
【０００３】
又、移動通信では、遠くの高層ビルや山などからの遅延波により、受信機周辺の環境によって上記と同様のフェージングが生じるとマルチパスフェージング環境となる。ＤＳの場合、この遅延波は拡散符号に対して干渉波となるため受信特性の劣化を招く。この遅延波を特性改善に積極的に用いる方法の一つとして、ＲＡＫＡ受信方式（レーク受信方式）が知られている。これはマルチパスの各パスを介して到来する各遅延波毎に逆拡散を行ない、それぞれの遅延時間を揃え、受信レベルに応じて重み付けして加算することで合成するものである。
【０００４】
図１８は一般的な無線機の構成例であり、１は送信系回路、２は受信系回路、３は送信信号をアンテナに送出し、受信信号を受信系回路に入力するデュプレクサ、４はアンテナである。送信系回路１において、１ａは送信信号（送信データ）をコード化するコーダ、１ｂはマッピング部であり、例えば、フレームデータ（パイロット信号及び送信データ）を１ビットづつ交互に振り分けて同相成分（Ｉ成分：In-Phase component)データと直交成分（Ｑ成分：Quadrature component)データの２系列のＩシンボルデータＤＩ，ＱシンボルデータＤＱに変換するもの、１ｃ，１ｄはＩシンボルデータ,ＱシンボルデータＤＩ，ＤＱに所定の拡散コードを用いて拡散変調を施す拡散器、１ｅ，１ｆは波形成形用のフィルタ、１ｇ，１ｈは各フィルタ１ｅ，１ｆの出力をＤＡ変換するＤＡコンバータ、１ｉはＩch信号、Ｑch信号にＱＰＳＫ直交変調を施して出力する直交変調回路、１ｊはＩＦかＲＦへの周波数変換、高周波増幅等を行う無線部である。
受信系回路２において、２ａはＲＦかＩＦへの周波数変換、高周波増幅等を行う無線部、２ｂは直交検波によりＩch信号，Ｑch信号を復調する直交検波回路、２ｃ，２ｄはＩch，Ｑch信号をデジタルに変換するＡＤコンバータ、２ｅはマルチパスをサーチするパスサーチ回路、２ｆはレーク合成／復調部であり、マルチパスのパス毎に逆拡散処理を実行し、逆拡散により得られたＩシンボルデータ,ＱシンボルデータＤＩ′，ＤＱ′を元のデータに復調し、復調結果を合成して出力するもの、２ｇはデコーダである。
【０００５】
図１９はパスサーチ部とレーク合成／復調部の構成図である。レーク合成／復調部２ｆは、マルチパスの各パスに応じて設けられたフィンガー部５１，５２，５３、各フィンガー部の出力を合成するレーク合成部６を有している。パスサーチ部２ｅはマッチトフィルタ（ＭＦ：mached filter）７ａ、積分回路７ｂ、パス選別部７ｃを備え、マルチパスを検出し、該マルチパスを構成する各パスを介して到来する信号の到来時刻あるいは基準時刻からの遅延時間を識別し、各パスに応じたフィンガー部に逆拡散開始のタイミングデータ及び遅延時間調整データを入力する。
【０００６】
送信機より送られてくる信号の受信レベルは図２０に示すようにマルチパスに応じて変化し、かつ、受信機への到達時刻も異なる。そこで、マッチトフィルタ７ａは、受信信号に含まれる希望信号の自己相関を出力する。アンテナ４の受信出力には自分に割り当てられたチャンネル以外の他チャンネル成分も含まれているから、マッチトフィルタ７ａは自チャンネルの拡散符号を用いてアンテナ受信信号より自チャンネルの信号成分（希望信号）を抽出して出力する。この場合、Ｉch信号とＱch信号の相関値Ｉ，Ｑが独立して得られるから、例えば(Ｉ＋ｊＱ)(Ｉ−ｊＱ)＝Ｉ２＋Ｑ２の演算を行って電力値にして出力する。
【０００７】
すなわち、マッチトフィルタ７ａはマルチパスの影響を受けた直接拡散信号（ＤＳ信号）が入力すると、到来遅延時間と受信電界強度に応じた複数のピークを持つパルス列を出力し、積分回路７ｂを通してパス選別部７ｃに入力する。パス選別部７ｃは積分回路の積分出力（図２０）を参照し、しきい値より大きなマルチパス信号ＭＰ１、ＭＰ２、ＭＰ３に基づいてマルチパスを検出し、マルチパスを構成する各パス及び遅延時間ｔ１，ｔ２，ｔ３を検出し、各パスに応じたフィンガー部５１，５２，５３に逆拡散開始のタイミングデータＰ１，Ｐ２，Ｐ３及び遅延時間調整データＤ１，Ｄ２，Ｄ３を入力する。なお、マルチパス信号ＭＰ１、ＭＰ２、ＭＰ３をその大きさ順に並べ、マルチパス信号が最大のパスを１番目のフィンガー５１に割り当て、マルチパス信号が第２番目の大きさのパスを２番目のフィンガー５２に割り当て、マルチパス信号が第３番目の大きさのパスを３番目のフィンガー５３に割り当て、各フィンガー部は割り当てられたパスを介して到来する信号に以下の処理を行う。
【０００８】
各パスに応じたフィンガー部５１，５２，５３は同一構成になっており、逆拡散回路５ａ、復調回路５ｂ、遅延回路５ｃを有している。各逆拡散回路５ａはパスサーチ部２ｅより指示されたタイミング（Ｐ１〜Ｐ３）で自チャンネルの拡散コードを用いて受信Ｉch信号，Ｑch信号に逆拡散処理を施す。復調回路５ｂは逆拡散により得られたＩシンボルデータＤＩ′，ＱシンボルデータＤＱ′を用いて元のデータを復調し、遅延回路５ｃはパスサーチ部２ｅより指示された時間（Ｄ１〜Ｄ３）遅延して出力する。この結果、各フィンガー部は送信機の拡散符号と同一タイミングで逆拡散し、かつ、パスに応じて遅延時間を調整し、位相を揃えてレーク合成部６に入力し、レーク合成部は入力信号を合成して出力する。
【０００９】
図２１はフィンガー部における逆拡散回路の構成例であり、Ｉch信号とＱch信号のそれぞれに逆拡散処理を施せるようになっている。８ａは送信機と同一の拡散コードを発生する拡散コード発生部であり、符号長は１シンボル当りのチップ数Ｎで例えば２５６である。８ｂは１チップ毎にＩch信号と拡散コードを乗算する乗算器、８ｂ′は１チップ毎にＱch信号と拡散コードを乗算する乗算器、８ｃ，８ｃ′は乗算結果を１シンボル周期にわたって積算（２５６回累積加算）する積分器で、８ｄ，８ｄ′は加算器、８ｅ，８ｅ′は１チップ時間遅延回路、８ｆ，８ｆ′はシンボルクロックで１シンボル周期の累積結果をラッチしてＩシンボルデータＤＩ′，ＤＱ′を出力する出力レジスタである。
【００１０】
以上要約すれば、パス制御を受信機で自立的に行う場合は、パスサーチ部２ｅのマッチトフィルタ７ａにおいて受信信号と希望信号（予測される拡散符号列）との相関値を求め、その値が大きいものをパス選択部７ｃで選びその時間差を逆拡散回路５ａへ通知する（図１９）。この時、位相変調であれば、相関値Ｉ，Ｑを直交位相で個別に求め、その電力または２乗和を比較する。また検出タイミングの精度を高めるために、通常は周期的に現れる値を時間平均などの積分を行う。図１９では相関値の積分出力が大きい３つを逆拡散している。
【００１１】
このようにして検出される３つの確からしいパスの到来時間ｔ１，ｔ２，ｔ３を、それぞれのフィンガー部５１，５２，５３における逆拡散回路５ａの逆拡散タイミングとする。各逆拡散回路５ａでは、このようにして得られた逆拡散タイミングに合わせて逆拡散コードを発生し、受信データを逆拡散する。位相変調であれば、逆拡散により得られたＩ，Ｑシンボルデータから復調回路５ｂによって元のデータを復元する。その後それぞれの遅延量の中から、一番遅いものに合わせて他の２つを遅延回路５ｃでシフトして復元データの位置を揃える。これを加算することで合成信号を得る。この結果を図示しないデータ判定部の比較器で”０”，”１”判定し、受信データとする。場合によっては、レーク合成部６で合成前にそれぞれの受信レベルに応じた信頼度を乗じてから加算することで最大比合成する。
以上のようにマルチパスの検出、逆拡散開始タイミングや遅延時間の決定を受信機で自立的に行う場合と、送信機より受信機に通知する場合がある。後者は基地局が前述の検出を行い、その情報を制御チャンネルなどを介して移動機に通知する場合である。
【発明の開示】
【発明が解決しようとする課題】
【００１２】
移動通信では送受信機の一方もしくは両方の環境が時間と共に変化するため、パスサーチ部２ｅでは推移していく遅延量と受信レベルから、新たに検出した３つのパスがそれまで受信していた３つのパスと同じであることを推測し、自分の周期（例えばフレームなど）を追従させる必要がある。また、始めに確からしかった３つのパス（受信強度が大きな３つのパス）とは別の遅延量の新たなパスがより確からしくなることもある。かかる場合、パスの割り当てを切り替える必要がある。従来のパス割り当ての切替は、マルチパス信号をその大きさ順に並べ、マルチパス信号が最大のパスを１番目のフィンガー５１に割り当て、マルチパス信号が第２番目の大きさのパスを２番目のフィンガー５２に割り当て、マルチパス信号が第３番目の大きさのパスを３番目のフィンガー５３に割り当てるものであった。しかし、かかる割り当て方法では、新しく確からしいと推定されたパスの遅延量が小さいと、他の２つパスを介して送られてくる拡散周期の一部が欠落する。
【００１３】
図２２はパス割り当ての切替時に生じるデータ欠落の説明図である。第１のパス割当て切替時点において、マッチトフィルタ７ａより得られる５個のパスａ〜ｅの相関値は大きさ順にｂ＞ｄ＞ｅ＞ａ＞ｃである。パス選別部７ｃは上位３個のパスｂ，ｄ，ｅを選択し、パスｂを第１のフィンガー部５１に割り当て、パスｄを第２のフィンガー部５２に割り当て、パスｅを第３のフィンガー部５３に割り当てる。各フィンガー部５１，５２，５３はそれぞれ時刻Ｔ１１，Ｔ１２，Ｔ１３においてパスｂ，ｄ，ｅから到来する信号に逆拡散処理を施し、得られた逆拡散信号を遅延時間ｄ１，ｄ２，ｄ３遅延して位相を揃えて出力する。
【００１４】
ついで、第２のパス割当て切替時点において、マッチトフィルタ７ａより得られる５個のパスａ〜ｅの相関値は大きさ順にｄ＞ｂ＞ａ＞ｅ＞ｃになる。パス選別部７ｃは上位３個のパスｄ，ｂ，ａを選択し、パスｄを第１のフィンガー部５１に割り当て、パスｂを第２のフィンガー部５２に割り当て、パスａを第３のフィンガー部５３に割り当てる。この結果、各フィンガー部５１，５２，５３はそれぞれ時刻Ｔ２１，Ｔ２２，Ｔ２３においてパスｄ，ｂ，ａから到来する信号に逆拡散処理を施し、得られた逆拡散信号を遅延時間ｄ１′，ｄ２′，ｄ３′遅延して位相を揃えて出力する。以上より、第１、第２のパス割当て切替時点の間にパスｂを介して受信した有効データが８シンボルであるとすれば、パスｄを介して受信した有効データは６．７シンボル、パスｄを介して受信した有効データは４．６シンボルである。このため、最長有効データに対して、パスｄよりのデータは１．３シンボル分欠落し（欠落部ＤＦ１）、パスｅよりのデータは３．４シンボル分欠落する（欠落部ＤＦ２）。この欠落部では拡散利得が減小し、検出精度が劣化する。
【００１５】
又、確からしい３つのパスが変わらない場合であっても、そのマルチパス信号レベル（相関値）が変化するとパスの割り当て切替が行われて上述のデータ欠落が発生する。又、受信環境やシンボル周期によっては更に多くのシンボルが欠落し、場合によっては全パスからのデータが欠落する。
上記パスサーチ法では、受信レベルの大きいパスから始めてフィンガー部を順番に割り当てる。このパス割当方法は簡単に行える利点がある。しかし、前述のようにデータ欠落が発生し、しかも、同じ３つのパスであってもマルチパス信号レベル（相関値）により相互に入れ替わり、この入れ替りによりデータ欠落が発生する。そこで、前回と今回のパスの同一性を推定し、同一の場合には該パスのフィンガー部への割当てを変更しないようにする必要がある。パス推定には、システムのキャリアやクロックの周波数精度、フェージング速度から、同一パスと確度良く判定するために、各パス毎にＤＬＬ（Delay Locked Loop)回路を用意する必要がある。しかし、ＤＬＬ回路では各パス毎にＡ／Ｄ変換器や電圧制御発振器ＶＣＯなどのアナログ回路を必要とするうえ、パス切替えの方式にもよるがロックしているパスの受信レベルが閾値以上であるなら、新たなパスが確からしくともパス切替を行わない、などの問題点がある。
以上、従来はパス割当ての切り替え時にデータの欠落が生じる問題があった。又、ＤＬＬ回路を用いてパスの同一性を推定する方法では、アナログ回路部分が多くなり、更には、パス割当ての切替を正確に行えない問題があった。
【００１６】
従って、本発明の目的は、パス割当ての切替を適当なタイミングで正確に行えるようにしてデータ欠落を抑えることである。
本発明の別の目的は、空間ダイバーシティ採用時に2本のアンテナから同時に伝送情報を受信する場合であっても、データ欠落を抑えることが可能であり、しかも、パス割当ての切替を正しく行えるようにすることである。
本発明の別の目的は、ソフトハンドオーバ時に２以上の基地局より伝送情報を受信しなければならない場合であっても、データ欠落を抑えることが可能であり、しかも、パス割当ての切替を正しく行えるようにすることである。
【課題を解決するための手段】
【００１７】
上記課題は本発明によれば、第１アンテナ、第２アンテナを用いたダイバーシチ受信機能を備えるとともに、受信信号に対して逆拡散処理を施す複数の逆拡散部と、該逆拡散処理後の信号を合成するレーク合成部と、該逆拡散部に対して逆拡散タイミングを指示するパスサーチ部とを備えた無線装置において、前記逆拡散部に同一パスを割当てようとする場合に、前記第１アンテナ、第２アンテナのうちいずれのアンテナで受信した信号に含まれるパスであるかを判定し、同じアンテナで受信した信号に含まれるパスであることを条件として、前記同一パスの割当てを行なうように制御する制御手段、を備えた無線装置により達成される。
また、上記課題は本発明によれば、複数の基地局からの信号を同時に受信するソフトハンドオーバ機能を備えるとともに、受信信号に対して逆拡散処理を施す複数の逆拡散部と、該逆拡散処理後の信号を合成するレーク合成部と、該逆拡散部に対して逆拡散タイミングを指示するパスサーチ部とを備えた無線装置において、前記逆拡散部に同一パスを割当てようとする場合に、前記複数の基地局のうちいずれの基地局から受信した信号に含まれるパスであるかを判定し、同じ基地局から受信した信号に含まれるパスであることを条件として、前記同一パスの割当てを行なうように制御する制御手段、を備えた無線装置により達成される。
【発明の効果】
【００１８】
本発明によれば、それまでフィンガー部に割り当てていたパスと今回選別したパスが同一であれば、パスのフィンガー部への割当てを変更しないから、パス割り当て時におけるデータ欠落を防止できる。
又、本発明によれば、空間ダイバーシティを採用したレーク受信器において、パス同一性の条件に指向方向が同一であることも加えたから、ダイバーシティレーク受信器であっても、パス割当ての切替を正しく行うことができ、データ欠落を最小限に抑えることができる。
又、本発明によれば、ソフトハンドオーバ時などに２以上の基地局より伝送情報を受信すレーク受信器において、パス同一性の条件に送信局が同一であることも加えるようにしたから、ソフトハンドオーバ時などにパス割当ての切替を正しく行うことができ、データ欠落を最小限に抑えることができる。
【発明を実施するための最良の形態】
【００１９】
本発明の第1の実施形態は、第１アンテナ、第２アンテナを用いたダイバーシチ受信機能を備えるとともに、受信信号に対して逆拡散処理を施す複数の逆拡散部と、該逆拡散処理後の信号を合成するレーク合成部と、該逆拡散部に対して逆拡散タイミングを指示するパスサーチ部とを備えた無線装置である。この無線装置において制御手段は、前記逆拡散部に同一パスを割当てようとする場合に、前記第１アンテナ、第２アンテナのうちいずれのアンテナで受信した信号に含まれるパスであるかを判定し、同じアンテナで受信した信号に含まれるパスであることを条件として、前記同一パスの割当てを行なうように制御する。
本発明の第２の実施形態は、複数の基地局からの信号を同時に受信するソフトハンドオーバ機能を備えるとともに、受信信号に対して逆拡散処理を施す複数の逆拡散部と、該逆拡散処理後の信号を合成するレーク合成部と、該逆拡散部に対して逆拡散タイミングを指示するパスサーチ部とを備えた無線装置である。この無線装置において制御手段は、前記逆拡散部に同一パスを割当てようとする場合に、前記複数の基地局のうちいずれの基地局から受信した信号に含まれるパスであるかを判定し、同じ基地局から受信した信号に含まれるパスであることを条件として、前記同一パスの割当てを行なうように制御する。
【実施例１】
【００２０】
（A）本発明の概略
図１は本発明のレーク受信器の基本構成図である。図中、１１１〜１１３はフィンガー部（逆拡散／遅延調整部）で、割り当てられたパスを介して到来する３つの遅延希望波ｂ，ｄ，ｅにタイミングｔ１〜t３で逆拡散処理を施し、逆拡散処理により得られた逆拡散信号に該パスに応じた遅延量d１〜d３を加えて出力するもの、１２は各フィンガー部の出力を合成する合成部、１３は各フィンガー部にパスを割り当てるパスサーチ部である。パスサーチ部１３は受信信号と希望信号との相関を検出し、相関値と検出時間を出力する相関器３１、相関値に基づいて逆拡散する遅延希望波が到来する３つのパスを選別するパス選別部３３、選別されたパスがいずれかのフィンガー部にそれまで割り当てていたパスと同一であれば、引き続き該フィンガー部に逆拡散／遅延調整処理を実行させるパス追従部３４を有している。
【００２１】
パス追従部３４はパスの同一性の推定のためにＤＬＬと同様に擬似的なＳカーブをウィンドウとして用意する。すなわち、それまでの逆拡散タイミングのＳカーブウィンドウ内に新たに相関検出したタイミングが存在すればパスが同一であると推定する。具体的には、前回いずれかのフィンガー部に割り当てたパスの相関値の検出タイミング（Ｔ０）と今回選別したパスの相関値の検出タイミング（Ｔ１）とが±δ チップ以内にあるかを判断する。すなわち、次式
Ｔ０−δ＜Ｔ１＜Ｔ０＋δ
を満足するかチェックし、満足すれば、パスが同一であると推定する。
パス追従部３４は以上のパス同一性に基づいてパス割り当てをしないフィンガー部には、同じく割り当てされなかった選別パスを個別に割り振る。これらは新たに生じた確からしいパスであるので、それまでのパスのタイミングとは大幅に変わっている可能性があるが、受信レベルの低いパスが切り捨てられ、その合成による利得も小さいので、欠落による影響は小さい。
【００２２】
以上要約すれば、パス追従部３４は、パス選別部３３で選別したパスが各フィンガー部１１１〜１１３にそれまで割り当てていたパスと同一であるか否かを、パスを介して到来する希望信号の前記検出タイミングに基づいて以下のように行う。すなわち、パス追従部３４は、（1) 各フィンガー部１１１〜１１３に割り当てたパスを介して到来する希望信号の検出タイミングＴ０を記憶部(図示せず)に記憶しておき、(2) 今回選別したパスを介して到来する希望信号の検出タイミングＴ１と前記記憶してある遅延時間Ｔ０との差が許容範囲内−δ〜＋δであるかチェックし、(3) 差が許容範囲内であれば、今回選別したパスが所定のフィンガー部においてそれまで割り当てていたパスと同一であると判定し、(4) 該選別したパスを介して到来する希望信号に対する逆拡散及び遅延調整処理をそれまでと同一のフィンガー部に実行させる。又、パス追従部３４は、パスの同一性基準に従ってパス割当てがなされなかったフィンガー部には、パス選別部で選別してある相関値の大きい希望信号が到来するパスを順に割り当てる。
以上、それまでフィンガー部に割り当てていたパスと今回選別したパスが同一であれば、該パスのフィンガー部への割当てを変更しないから、パス割り当て時におけるデータ欠落を防止できる。又、遅延時間の差が許容範囲内にあるかによりパスの同一性を判定するため、パス同一性の推定精度を高めることができ、しかも、ＤＬＬ回路などを不要にできる。
【００２３】
図２はパス割当ての説明図である。最初のパス割当て時点において、相関検出部３１より得られる５個のパスａ〜ｇの相関値は大きさ順にｂ＞ｄ＞ｅ＞ｃ＞ａである。パス選別部３３はフィンガー数（＝３）の上位３個のパスｂ，ｄ，ｅを候補パスとして選別し、相関値順にそれぞれの検出時間Ｔ１，Ｔ２，Ｔ３をパス追従部３４に出力する。初期時、パス追従部３４は検出時間Ｔ１，Ｔ２，Ｔ３を記憶すると共に、相関値が大きな候補パスｂ，ｄ，ｅの順にパスを第１〜第３フィンガー部１１１，１１２，１１３に割り当てる。すなわち、初期時、パス追従部３４はパスｂを第１のフィンガー部１１１に割り当て、パスｄを第２のフィンガー部１１２に割り当て、パスｅを第３のフィンガー部１１３に割り当て、それぞれのフィンガー部に逆拡散開始タイミングt１〜t３及び遅延時間ｄ１〜ｄ３を入力する。各フィンガー部１１１，１１２，１１３はそれぞれ時刻ｔ１，ｔ２，ｔ３においてパスｂ，ｄ，ｅから到来する信号に逆拡散処理を施し、得られた逆拡散信号を遅延時間ｄ１，ｄ２，ｄ３遅延して位相を揃えて出力する。
【００２４】
ついで、第２のパス割当て時点において、相関検出部３１より得られる５個のパスａ′〜ｅ′の相関値は大きさ順にｄ′＞ｂ′＞ａ′＞ｃ′＞ｅ′になる。パス選別部３３はフィンガー数（＝３）の上位３個のパスｄ′，ｂ′，ａ′を候補パスとして選別して、相関値順にそれぞれの検出時間Ｔ１′,Ｔ２′，Ｔ３′をパス追従部３４に出力する。これにより、パス追従部３４は、(1)相関値順に今回選別した候補パスｄ′の検出時間Ｔ１′と前回記憶してある各検出時間Ｔ１〜Ｔ３との差が許容範囲内であるかチェックし、(2)ついで、２番目に大きい候補パスｂ′の検出時間Ｔ２′と記憶してある各検出時間Ｔ１〜Ｔ３との差が許容範囲内であるかチェックし、(3)最後に、検出時間Ｔ３′と記憶してある各検出時間Ｔ１〜Ｔ３との差が許容範囲内であるかチェックする。
【００２５】
パス追従部３４は、差が許容範囲内であれば、今回選別したパスが所定のフィンガー部にそれまで割り当てていたパスと同一であると判定する。例えば、検出時間Ｔ１と検出時間Ｔ１′との差及び検出時間Ｔ２と検出時間Ｔ２′との差が共に許容範囲内となるから、パスｂとパスｂ′、パスｄとパスｄ′はそれぞれ同一パスであると判定する。
ついで、パス追従部３４は、パスｂ′，パスｄ′を介して到来する希望信号に対する逆拡散及び遅延調整処理をパスｂ，パスｄのフィンガー部に実行させる。すなわち、パス追従部３４はパスｂ′を第１のフィンガー部１１１に割り当て、パスｄ′を第２のフィンガー部１１２に割り当て、それぞれのフィンガー部に逆拡散開始タイミングｔ１′，ｔ２′及び遅延時間ｄ１′，ｄ２′を入力する。このように、パスｂ，ｄと今回選別したパスｂ′，ｄ′が同一であれば、パスｂ′，パスｄ′を介して到来する希望信号に対する逆拡散及び遅延調整処理をパスｂ，パスｄのフィンガー部１１１，１１２に引き続き行わせるから、パス割り当て時においてフィンガー部１１１，１１２においてデータ欠落は発生しない。又、検出時間の差が許容範囲内にあるかによりパスの同一性を判定するため、パス同一性の推定精度を高めることができる。
【００２６】
一方、パス追従部３４は、パスの同一性基準に従ってパス割当てがなされなかったフィンガー部１１３には、同様に割り当てられなかったパスａ′を割り当て、該フィンガー部１１３に逆拡散開始タイミングｔ３′及び遅延時間ｄ３′を入力する。この結果、フィンガー部１１３はそれまでのパスｅと異なるパスａ′から到来する希望信号に対して逆拡散及び遅延調整処理を行う。このため、パスｅからのデータが3.4シンボル分欠落し（欠落部ＤＦ）、この欠落により拡散利得は減小するが、全体でのデータ欠落数を最小にでき、検出精度を従来に比べて向上することができる。
【００２７】
（Ｂ）第１実施例のレーク受信器
（ａ）全体の構成
図３は本発明の第１実施例のレーク受信器の構成図であり、図１と同一部分には同一符号を付している。
１１１〜１１３はそれぞれフィンガー部（逆拡散／遅延調整部）あり、割り当てられたパスを介して到来する希望信号に指示されたタイミングｔ１〜ｔ３に基づいて逆拡散処理を施し、逆拡散処理により得られた逆拡散信号に該パスに応じた遅延量ｄ１〜ｄ３を加えて出力するもの、１２は各フィンガー部の出力を合成する合成部、１３は各フィンガー部にパスを割り当てるパスサーチ部である。
【００２８】
各フィンガー部１１１〜１１３は同一構成になっており、逆拡散回路２１、復調回路２２、遅延回路２３を有している。各逆拡散回路２１はパスサーチ部１３より指示された逆拡散タイミング（ｔ１〜ｔ３）で自チャンネルの拡散コードを用いて受信Ｉch信号，Ｑch信号に逆拡散処理を施す。復調回路２２は逆拡散により得られたＩシンボルデータＤＩ，ＱシンボルデータＤＱを用いて元のデータを復調し、遅延回路２３はパスサーチ部１３より指示された時間（ｄ１〜ｄ３）遅延して出力する。この結果、各フィンガー部１１１〜１１３は送信機の拡散符号と同一タイミングで逆拡散し、かつ、パスに応じて遅延時間を調整し、位相を揃えてレーク合成部１２に入力し、レーク合成部１２は入力信号を合成して出力する。
パスサーチ部１３は相関検出を行うマッチトフィルタ（ＭＦ）３１、相関値を積分して出力する積分回路３２、パス選別部３３、パス追従部３４、タイミング生成部３５を有している。
マッチトフィルタ３１は自チャンネルの拡散符号を用いてアンテナ受信信号より自チャンネルの信号成分（希望信号）を抽出して出力する。この場合、Ｉch信号とＱch信号の相関値Ｉ，Ｑが独立して得られるから、例えば(I+jQ)(I-jQ)=I２+Q２の演算を行って電力値にして出力する。
パス選別部３３は相関値を積分して得られる積分相関値に基づいて大きい順にフィンガー数（図では３個）の希望信号が到来するパスを選別すると共に、該パスを介して到来する希望信号の検出時間を出力する。
【００２９】
パス追従部３４は、パス判定部４１とパス割当て部４２を有している。パス判定部４１は、パス選別部３３で選別したパスがそれまで選別していたいずれかのパスと同一であるか否かを、前記検出時間に基づいて判定する。パス割当て部４２は、(1)判定の結果、同一パスであれば今回選別したパスを介して到来する希望信号に対する逆拡散及び遅延調整処理をそれまでと同一のフィンガー部に実行させるようパスの割当てを行う。すなわち、今回とそれまでのパスが同一であれば、引き続きそれまでと同一のフィンガー部に逆拡散／遅延調整処理を実行させる。又、(2)パス割当て部４２は、パスの同一性基準に従ってパス割当てがなされなかったフィンガー部には、受信レベル順に選別したパスを強制的に割り当てる。
タイミング生成部３５は各フィンガー部１１１〜１１３に割り当てたパスの検出タイミングＴ１〜Ｔ３に応じて各フィンガー部の逆拡散開始タイミングデータｔ１〜ｔ３及び遅延時間データｄ１〜ｄ３を生成して各フィンガー部１１１〜１１３に入力する。
【００３０】
（ｂ）パス選別部
図４はパス選別部の構成図であり、積分回路３２が出力する積分後の相関値Ｒ０とその相関検出タイミング（スロットカウンタ値）Ｔ０を入力され、大きい順に８個の相関値Ｒ１〜Ｒ８とその検出時間Ｔ１〜Ｔ８を選別するものである。尚、８個選別するということは８個のフィンガー部が存在するものとしている。
図４において３３１〜３３８は第１〜第８番目に大きい積分相関値Ｒ１〜Ｒ８及びその検出時間Ｔ１〜Ｔ８を記憶するための回路であり、それぞれ同一構成を有し、比較器３３ａとＤ型ＦＦ構成のレジスタ３３ｂとセレクタ３３ｃを備えている。比較器３３ａは、入力する積分相関値Ｒｉ−１（ｉ＝１〜８）とレジスタに記憶してある積分相関値Ｒｉ（ｉ＝１〜８）の大小を比較し、Ｒｉ−１＞Ｒｉであればハイレベルのイネーブル信号ＥＮＳを出力する。セレクタ３３ｃはＲｉ−１＞Ｒｉであればレジスタ３３ｂに記憶されている積分相関値Ｒｉと検出時間Ｔｉを選択して次段に出力し、Ｒｉ−１≦Ｒｉであれば入力した積分相関値Ｒｉ−１とその検出時間Ｔｉ−１を選択して次段に出力する。レジスタ３３ｂはＲｉ−１＞Ｒｉであれば入力した積分相関値Ｒｉ−１とその検出時間Ｔｉ−１を新たに記憶し、Ｒｉ−１≦Ｒｉであれば記憶内容を変更しない。以上により、パス選別部３３は大きい順に８個の相関値Ｒ１〜Ｒ８とその検出時間Ｔ１〜Ｔ８を順に各回路３３１〜３３８のレジスタ３３ｂに記憶し、検出時間Ｔ１〜Ｔ８を次段のパス追従部３４に出力する。
【００３１】
（ｃ）パス追従部
図５はパス追従部の構成図、図６はパス追従部の動作説明用タイムチャートである。３４ａは８＊２進のカウンタであり、０〜７を計数する８進カウンタ部とそのオーバフローパルスをカウントしてWRITE/READ信号をそれぞれ出力する２進カウンタ部で構成されている。３４ｂはWRITE時(パス同一性判定時)及びREAD時(パス強制割当て時）に計数値０〜７により第１〜第８番目の検出時間Ｔ１〜Ｔ８を順次選択して出力するセレクタ、４１１〜４１８は第１〜第８フィンガー部に対応して設けられ、今回とそれまでの選別パスの同一性を判定する第１〜第８パス同一性判定部、４２はパス同一性判定に基づいて割り当てられなかったフィンガー部にパスを強制的に割り当てるパス割当て部である。
【００３２】
・パス同一性判定部
第１〜第８パス同一性判定部４１１〜４１８は同一の構成を備え、前回の検出タイミングＴj′を記憶する記憶部４１ａ、セレクタ３４ｂから出力する今回の検出タイミングＴiと前回の検出タイミングＴj′を比較し、次式
Ｔj′−δ＜Ｔi＜Ｔj′＋δ  （ｊ＝１〜８）      (1)
但し、δ＝２チップ
を満足するかチェックする比較器４１ｂ、アンドゲート４１ｃ、(1)上式を満足するとき及び(2)後述の強制取り込みパルスＰi発生時にそれぞれイネーブル信号Ｅiを出力するオアゲート４１ｄを有している。
WRITE時(パス同一性判定時)、セレクタ３４は計数値ｉに応じた第ｉ検出時間Ｔiを出力し、各パス同一性判定部４１１〜４１８の比較部４１ｂ及びアンドゲート４１ｃは(1)式を満足するかチェックする。上式を満足すれば、検出時間Ｔiのパスとそれまで第ｊフィンガー部に割り当てていたパスとが同一であると推定する。例えば、今回の第ｉ検出時間Ｔiが第１のパス同一性判定部４１１において、(1)式を満足すれば(j=1)、第１パス同一性判定部４１１は該検出時間Ｔiを記憶部４１ａに記憶する。又、第１パス同一性判定部４１１は該検出時間Ｔiを第１フィンガー部に割り当てたパスの検出タイミングとしてタイミング生成回路３５（図３）に入力する。
【００３３】
・パス割当て部
パス割当て部４２は、オアゲート４２ａ、ＲＡＭ４２ｂ、パス割当てフィンガー記憶部４２ｃ、優先判定回路４２ｄを有している。オアゲート４２ａは、第１〜第８パス同一性判定部４１１〜４１８より出力するイネーブル信号Ｅ１〜Ｅ８のオアを演算して出力する。すなわち、オアゲート４２ａはパス同一性判定によりパスが同一であると判定された時にハイレベルの信号を出力する。
ＲＡＭ４２ｂは、WRITEイネーブル時（パス同一性判定時）にカウンタ３４ａの計数値０〜７が示すアドレスにオアゲート出力を書き込み、READイネーブル時（パス強制割当て時）にカウンタ３４ａの計数値０〜７が示すＲＡＭアドレスよりデータを読み出して出力する。すなわち、ＲＡＭ４２ｂは、第１〜第８検出時間Ｔ１〜Ｔ８に応じた記憶領域を有し、パス同一性判定時に割り当てられたパスの検出時間に応じた記憶領域に”１”を書き込み、パス強制割当て時に各記憶領域より順次記憶内容を出力する。
【００３４】
パス割当てフィンガー記憶部４２ｃは第１〜第８フィンガー部に応じた記憶領域を有し、パス割当てされたフィンガー部に応じた記憶領域に”１”を記憶する。すなわち、パス同一性判定によりパスが第ｉフィンガー部に割り当てられるとハイレベルのイネーブル信号Ｅｉが出力するから第ｉフィンガー部に応じた記憶領域に”１”を記憶する。又、強制的パス割当てにより第ｊフィンガー部にパスを割り当てると、ハイレベルのイネーブル信号Ｅjが出力するから第jフィンガー部に応じた記憶領域に”１”を記憶する。
優先判定回路４２ｄは、パス同一性判定により割り当てられなかったパスを同様に割り当てられなかったフィンガー部に強制的に割り当てるものである。すなわち、ＲＡＭ４２ｂの記憶内容より割り当てられなかった検出時間(パス)を判別し、記憶部４２ｃの記憶内容よりパスが割り当てされなかったフィンガー部を判別し、該フィンガー部に割り当てられなかった時間(パス)を割り当てる。
【００３５】
READ時（パス強制割当て時）、優先判定回路４２ｄは、カウンタ３４ａの計数値ｉが示すＲＡＭ４２ｂの記憶内容を参照して第ｉ検出時間Ｔｉに応じたパスがパス同一性判定によりいずれかのフィンガー部に割り当てられたかチェックする。割り当てられていなければ、記憶部４２ｃを参照してパス割当てされていないフィンガー部を若い番号から順に求める。第ｊフィンガー部がパス割当てされていなければ、優先判定回路４２ｄは第ｊフィンガー部に対応する第ｊパス同一性判定部４１jに強制取り込み信号Ｐjを出力する。以上と並行してセレクタ３４は計数値ｉに応じた第ｉ検出時間Ｔiを出力する。この結果、第jフィンガー部のオアゲート４１ｄからイネーブル信号Ｅjが発生し、第ｊパス同一性判定部４１jは検出時間Ｔiを記憶部４１ａに記憶する。又、第jパス同一性判定部４１jは該検出時間Ｔiを第ｊフィンガー部に割り当てたパスの検出タイミングとしてタイミング生成回路３５（図３）に入力する。更に、パス割当てフィンガー記憶部４２ｃはハイレベルのイネーブル信号Ｅｊにより第ｊフィンガー部に応じた記憶領域に”１”を記憶する。以後、同様の処理を行って、パス強制割当てを行う。
【実施例２】
【００３６】
・第２実施例のレーク受信器
隣接する信号間に前後１チップを越える間隔があれば、相関器はそれぞれの信号より有意な相関を出力できる。DS-CDMAに用いられる拡散符号において相関性を有する範囲は、矩形波であれば前後１チップであるが、帯域制限フィルタを用いる場合にはその応答特性によって、プラス数＋％から数倍に広がる。しかし、図７に示すように信号間隔が１チップ範囲内であれば相関器はそれらを合成した相関値を出力する。この合成した相関値に１チップ範囲内に複数のピークＰＫ１，ＰＫ２が存在する場合、最大ピークＰＫ１をフィンガー部に割り当てることは有効であるが、それ以下の小さい値のピークＰＫ２は、より遅延差のある他のピークＰＫ３をレーク合成するよりも有効であるかどうか相関値だけで判定できない。これは、図７に示すように実際はピークＰＫ３より小さなピークＰＫ２がピークＰＫ１の影響でピークＰＫ３より大きくなっている場合があるからである。又、チップ範囲内ではノイズにも相関があるため、レーク合成したときにノイズ成分が相殺されず、期待した利得が得られないからである。そこでこの１チップ範囲で最大値をとるピークＰＫ１だけをパス選別の候補とし、最大でないピークＰＫ２をパス選別から除外する。
【００３７】
図８は以上を考慮した第２実施例の構成図であり、図３の第１実施例と同一部分には同一符号を付している。第２実施例において第１実施例と異なる点は、パスサーチ部１３にマスク制御部３６を設けている点である。
マスク制御部３６は１チップ範囲で最大値をとるピークだけをパス選別の候補とし、最大でないピークをマスクしてパス選別から除外する。マスク制御部３６は図９に示すように、チップ周波数の４倍の周波数で動作するようになっており、ピーク検出部３６１、最大ピーク検出部３６２、４進カウンタ（タイマ）３６３を有している。ピーク検出部３６１において、記憶部３６ａはサンプリングした積分後の相関値を記憶し、比較器３６ｂは今回のサンプリング値と前回のサンプリング値を比較し、今回のサンプリング値が大きいときハイレベルの信号を出力し、Ｄ型フリップフロップ３６ｃは比較器出力を記憶し、アンドゲート３６ｄは増加から減小に転じた時点でピーク検出信号ＰＤを出力する。最大ピーク検出部３６２において、３６ｅは１チップ内の最大ピークを記憶する記憶部、３６ｆはそれまでの最大ピークと検出されたピークの大小を比較し、今回のピークが大きければ最大ピーク検出信号ＭＰＤを出力し、アンドゲート３６ｇは最大ピーク検出信号ＭＰＤ発生時に極値検出信号ＰＫＤＴを出力し、記憶部３６ａに記憶されている値を最大ピーク値として記憶部３６ｅに記憶する。４進カウンタ３６３は最大ピークが検出される毎にリセットし、次の１チップ期間（相関性を有する範囲）に新たな最大ピークを検出しなければ計数値３のタイミングでデータ有効信号（マスク信号）ＭＳＫを出力し、最大ピーク以外のピークをマスクする。
パス選別部３３は１チップ期間内で最大のピークを選択してパス選別制御を行う。すなわち、１チップ範囲で最大値をとるピークだけをパス選別の候補とし、最大でないピークをパス選別から除外する。
【実施例３】
【００３８】
・第３実施例のレーク受信器
第１実施例では空間ダイバーシチを考慮していないが、空間ダイバーシチに対応できるように構成することができる。図１０は指向方向が異なる２つの受信アンテナ（ブランチＡ、ブランＢ）を備えた場合に適用できる第３実施例のレーク受信器の構成図であり、第１実施例と同一部分には同一符号を付している。
第１実施例では時間軸だけを考慮して希望信号に独立に逆拡散処理、遅延処理を施して合成しているが、第３実施例では、更に空間を独立した次元として扱っている。図１０において、図３の第１実施例と異なる点は、以下の(1)〜(5)である。
【００３９】
(1)ブランチＡ、Ｂのそれぞれに設けられたマッチトフィルタ３１Ａ，３１Ｂ及び積分回路３２Ａ，３２Ｂは、各アンテナ受信信号と希望波との相関を演算し、その積分値をパス選別部３３に入力する。
(2)パス選別部は３３は積分回路３２Ａ，３２Ｂより出力する各積分相関値に基づいて、大きい順に３個の希望信号が到来するパスを選別すると共に、該パスを介して到来する希望信号の検出時間、パスが属するブランチを出力する。
(3)パス追従部３４は、検出時間差が許容値以下であり、かつ、ブランチが同一のときパスが同一であると判定する。
(4)タイミング生成回路３５は、各フィンガー部１１１〜１１３に割り当てたパスの検出時間及び該パスの属するブランチに基づいて、ブランチ選択信号Ｂ１〜Ｂ３、タイミング信号ｔ１〜ｔ３、遅延量信号ｄ１〜ｄ３を出力する。
(5)各フィンガー部１１１〜１１３の入力部に設けられたセレクタ２４は、ブランチ選択信号Ｂ１〜Ｂ３が指示するブランチからのＩch信号，Ｑch信号を取り込んで出力する。
【００４０】
図１１は第３実施例のパス選別部の構成図であり、図４の第１実施例のパス選別部とほぼ同様の構成を備えている。異なる点は、(1)第１〜第８回路３３１〜３３８のレジスタ３３ｂが第１〜第８番目に大きい積分相関値Ｒ１〜Ｒ８及びその検出時間Ｔ１〜Ｔ８に加えて、パスのブランチ種別（ブランチＡ、Ｂ）を示すブランチ情報Ｂｒを記憶する点、(2)検出時間及び検出ブランチを出力する点である。
図１２は第３実施例のパス追従部の構成図であり、図５の第１実施例のパス追従部とほぼ同様の構成を備えている。異なる点は、(1)第１〜第８フィンガー部に前回割り当てたパスのブランチ情報Ｂｒを記憶する記憶部４１ｅ及び前回のブランチ情報と今回のブランチ情報を比較する比較器４１ｆとをパス同一性判定部４１１〜４１８に設けた点、(2)アンドゲート４１ｃより、(1)式を満足し、かつ、ブランチが同一のときパスが同一であることを示すイネーブル信号Ｅ１〜Ｅ８を出力する点である。
【００４１】
図１３は第３実施例のパス割当ての説明図である。
最初のパス割当て時点において、相関値の大きい上位３個のパスはブランチＡのパスｂ、ブランチＢのパスｉ，ｇの順である。パス選別部３３はこれら上位３個のパスｂ，ｉ，ｇを選別してその検出時間及びブランチ情報をパス追従部３４に入力する。初期時、パス追従部３４はパスｂ，ｉ，ｇの各検出時間及びブランチ情報を記憶すると共に、相関値が大きなパスｂ，ｉ，ｇの順にパスを第１〜第３フィンガー部１１１，１１２，１１３に割り当てる。
第２のパス割当て時点において、相関値の大きい上位３個のパスはブランチＡのパスｄ′、ブランチＢのパスｇ′，ｉ′の順である。パス選別部３３はこれら上位３個のパスｄ′，ｇ′、ｉ′を選別してその検出時間及びブランチ情報をパス追従部３４に入力する。パス追従部３４は、今回選別した各パスｄ′、ｇ′，ｉ′の検出時間と前回選別した各パスｂ，ｉ，ｇの検出時間との差が許容範囲内であり，かつ、ブランチが同じであるかチェックする。
【００４２】
パス追従部３４は、差が許容範囲内であり、ブランチが同じであれば、今回選別したパスが所定のフィンガー部においてそれまで割り当てていたパスと同一であると判定する。例えば、パスｇとパスｇ′、パスｉとパスｉ′はそれぞれ同一パスであると判定する。ついで、パス追従部３４は、パスｇ′，パスｉ′を介して到来する希望信号に対する逆拡散及び遅延調整処理をパスｇ，パスｉのフィンガー部１１２，１１３に実行させる。
一方、パス追従部３４は、パスの同一性基準に従ってパス割当てがなされなかったパスｄ′を同様にパス割当てされなかったフィンガー部１１１に割り当て、該フィンガー部１１１はそれまでのパスｂと異なるパスｄ′から到来する希望信号に対して逆拡散及び遅延調整処理を行う。
以上のように、空間ダイバーシティを採用したレーク受信器において、パス同一性の条件に指向方向が同一であることも加えたから、ダイバーシティレーク受信器であっても、パス割当ての切替を正しく行うことができ、データ欠落を最小限に抑えることができる。
【実施例４】
【００４３】
・第４実施例のレーク受信器
第１実施例では２つの基地局と同時に通信することを考慮していないが、ソフトハンドオーバ時には同時に２以上の基地局と通信する必要がある。図１４は同時に２以上の基地局と通信する場合に適用できる第４実施例のレーク受信器の構成図であり、第１実施例と同一部分には同一符号を付している。
図３の第１実施例と異なる点は、
(1)パスサーチ部１３に設けられた局設定部３７が、これから受信しようとする相手送信局（基地局）に応じた拡散符号をマッチトフィルタ３１に入力すると共に、局識別情報をパス選別部３３に入力する点、
(2)マッチトフィルタ３１は各基地局より受信した信号と希望波との相関を演算する点、
(3)パス選別部は３３は積分回路３２より入力する積分相関値に基づいて、大きい順に３個のパスを選別すると共に、該パスを介して到来する希望信号の検出時間及びパスが属する局識別情報ＢＳを出力する点、
(4)パス追従部３４は、検出時間差が許容値以下であり、かつ、局識別情報が同一のときパスが同一であると判定する点である。
【００４４】
図１５は第４実施例のパス選別部３３の構成図であり、第３実施例のパス選別部（図１１）と相違する点は、(1)第１〜第８回路３３１〜３３８がブランチ情報Ｂｒに替えて局識別情報ＢＳを記憶する点、(2)検出時間及び局識別情報を出力する点である。
図１６は第４実施例のパス追従部の構成図であり、図１２の第３実施例のパス追従部と殆ど同一の構成を備えている。異なる点は、パス同一性判定部４１１〜４１８に、(1)ブランチ情報Ｂｒに替えて局識別情報ＢＳを記憶する記憶部４１ｅ′及び前回の局識別情報と今回の局識別情報を比較する比較器４１ｆ′を設けた点、(2)アンドゲート４１ｃより、(1)式を満足し、かつ、局識別情報が同一のときパスが同一であることを示すイネーブル信号Ｅ１〜Ｅ８を出力する点である。
【００４５】
図１７は第４実施例のパス割当ての説明図である。
最初のパス割当て時点において、相関値の大きい上位３個のパスは局Ａからのパスｂ、局Ｂからのパスｉ，ｇの順である。パス選別部３３はこれら上位３個のパスｂ，ｉ，ｇを選別してその検出時間及び局識別情報ＢＳをパス追従部３４に入力する。初期時、パス追従部３４はパスｂ，ｉ，ｇの各検出時間及び局識別情報ＢＳを記憶すると共に、相関値が大きなパスｂ，ｉ，ｇの順にパスを第１〜第３フィンガー部１１１，１１２，１１３に割り当てる。
第２のパス割当て時点において、相関値の大きい上位３個のパスは局Ａからのパスｄ′、局Ｂからのパスｇ′，ｉ′の順である。パス選別部３３はこれら上位３個のパスｄ′，ｇ′、ｉ′を選別してその検出時間及び局識別情報ＢＳをパス追従部３４に入力する。パス追従部３４は、今回選別した各パスｄ′、ｇ′，ｉ′の検出時間と前回選別した各パスｂ，ｉ，ｇの検出時間との差が許容範囲内であり，かつ、局識別情報が同じであるかチェックする。
【００４６】
パス追従部３４は、差が許容範囲内であり、局識別が同じであれば、今回選別したパスが所定のフィンガー部においてそれまで割り当てていたパスと同一であると判定する。例えば、パスｇとパスｇ′、パスｉとパスｉ′はそれぞれ同一パスであると判定する。ついで、パス追従部３４は、パスｇ′，パスｉ′を介して到来する希望信号に対する逆拡散及び遅延調整処理をパスｇ，パスｉのフィンガー部１１２，１１３に実行させる。
一方、パス追従部３４は、パスの同一性基準に従ってパス割当てがなされなかったパスｄ′を同様にパス割当てされなかったフィンガー部１１１に割り当て、該フィンガー部１１１はそれまでのパスｂと異なるパスｄ′から到来する希望信号に対して逆拡散及び遅延調整処理を行う。
以上のように、ソフトハンドオーバ時などに２以上の基地局より伝送情報を受信すレーク受信器において、パス同一性の条件に送信局が同一であることも加えるようにしたから、ソフトハンドオーバ時などにパス割当ての切替を正しく行うことができ、データ欠落を最小限に抑えることができる。
以上、本発明を実施例により説明したが、本発明は請求の範囲に記載した本発明の主旨に従い種々の変形が可能であり、本発明はこれらを排除するものではない。
【図面の簡単な説明】
【００４７】
【図１】本発明のレーク受信器の基本構成図である。
【図２】本発明のパス割当て説明図である。
【図３】第１実施例のレーク受信器の構成図である。
【図４】パス選別部の構成図である。
【図５】パス追従部の構成図である。
【図６】パス追従部の動作説明用タイムチャートである。
【図７】第２実施例の説明図である。
【図８】第２実施例のレーク受信器の構成図である。
【図９】マスク制御部の構成図である。
【図１０】第３実施例のレーク受信器の構成図である。
【図１１】第３実施例のパス選別部の構成図である。
【図１２】第３実施例のパス追従部の構成図である。
【図１３】第３実施例のパス割当て説明図である。
【図１４】第４実施例のレーク受信器の構成図である。
【図１５】第４実施例のパス選別部の構成図である。
【図１６】第４実施例のパス追従部の構成図である。
【図１７】第４実施例のパス割当て説明図である。
【図１８】無線機の構成図である。
【図１９】パスサーチ部及びレーク合成／復調部の構成図である。
【図２０】パスサーチ部におけるパスサーチ説明図である。
【図２１】逆拡散回路例である。
【図２２】パス割当ての切替時に生じるデータ欠落の説明図である。
【符号の説明】
【００４８】
１１１〜１１３・・フィンガー部（逆拡散／遅延調整部）
１２・・合成部
１３・・パスサーチ部
３１・・相関器（マッチトフィルタ）
３２・・パス選別部
３３・・パス追従部
【図１】
2005027340.tif 000003
【図２】
2005027340.tif 000004
【図３】
2005027340.tif 000005
【図４】
2005027340.tif 000006
【図５】
2005027340.tif 000007
【図６】
2005027340.tif 000008
【図７】
2005027340.tif 000009
【図８】
2005027340.tif 000010
【図９】
2005027340.tif 000011
【図１０】
2005027340.tif 000012
【図１１】
2005027340.tif 000013
【図１２】
2005027340.tif 000014
【図１３】
2005027340.tif 000015
【図１４】
2005027340.tif 000016
【図１５】
2005027340.tif 000017
【図１６】
2005027340.tif 000018
【図１７】
2005027340.tif 000019
【図１８】
2005027340.tif 000020
【図１９】
2005027340.tif 000021
【図２０】
2005027340.tif 000022
【図２１】
2005027340.tif 000023
【図２２】
2005027340.tif 000024